Podtech/llm-jp-corpus-v4-ja_patent huggingface dataset:
(57)【要約】      （修正有）【課題】ひとつのクランプで水平垂直にパイプを接続でき、凹凸が少なく、設置場所を縮小可能とする３連中間クランプを提供する。【解決手段】それぞれのクランプが水平、垂直、水平になるように、クランプ２と接続部品１を一体的に繋ぐことで、水平垂直のパイプを同時に繋げるようにした。【選択図】図１
0003196723.tif 000002
【実用新案登録請求の範囲】
【請求項１】
クランプと接続部品を繋ぎ、そのクランプがそれぞれ水平、垂直、水平になるように接続部品につないだものである。
【考案の詳細な説明】
【技術分野】
【０００１】
本考案はZ軸にあるパイプと同じ場所に水平クランプを接続できるクランプである
【背景技術】
【０００２】
従来のクランプでは水平垂直のパイプを同時に繋ぐためには多くの場所を必要であった。
【考案の概要】
【考案が解決しようとする課題】
【０００３】
解決しようとする問題点は場所の短縮化と水平パイプと垂直パイプをひとつのクランプで接続できるようにすることである
【課題を解決するための手段】
【０００４】
本考案は、クランプと接続部品をつなげ、それぞれのクランプを水平、垂直、水平になるようにつないだことを最も主な特徴とする。
【考案の効果】
【０００５】
本考案には、ひとつのクランプでパイプを水平垂直に接続できるようになり、今までの余分な場所を活用できるほか、でっぱりが少なくなり、安全性の向上の利点がある。
【図面の簡単な説明】
【０００６】
【図１】図１は3連中間クランプの全体図である
【産業上の利用可能性】
【０００７】
場所をとらない中柱や、柵などが作成でき、また建設現場や足場などのクランプを使用する事業に大いに役立つ。
【符号の説明】
【０００８】
１接続部品
２クランプ
【図１】
0003196723.tif 000003
【手続補正書】
【提出日】平成27年1月28日(2015.1.28)
【手続補正１】
【補正対象書類名】実用新案登録請求の範囲
【補正対象項目名】全文
【補正方法】変更
【補正の内容】
【実用新案登録請求の範囲】
【請求項１】
それぞれのクランプを水平、垂直、水平につなぐ接続部品を備えた３連中間ク
ランプ。
(57)【要約】      （修正有）【課題】水平にパイプを繋ぐことにより設置場所の縮小を可能にした水平クランプを提供する。【解決手段】それぞれのクランプ２が水平垂直になるように、接続部品１に繋ぐことで、水平にパイプを繋ぐことが可能になることを特徴とする。【選択図】図１
0003196722.tif 000002
【実用新案登録請求の範囲】
【請求項１】
クランプと接続部品を繋ぎ、そのクランプがそれぞれ水平垂直になるように接続部品に繋げたものである。
【考案の詳細な説明】
【技術分野】
【０００１】
本考案は、パイプとパイプを水平に繋ぐクランプである。
【背景技術】
【０００２】
今までのクランプには、自在、直行などがあったが、固定する際に多くの場所をとり、狭い場所では組み立てが困難であった。
【考案の概要】
【考案が解決しようとする課題】
【０００３】
解決しようとする問題点は、場所の縮小化と、水平にパイプを繋ぐ点である。
【課題を解決するための手段】
【０００４】
本考案は、クランプと接続部品をつなぎ、それぞれのクランプが水平垂直になるように、接続部品につないだことを最も主要な特徴とする。
【考案の効果】
【０００５】
場所の縮小化と滑らかにパイプを繋げるようになる・パイプとパイプが重なる場所がなくなり、安全性向上の利点がある。
【図面の簡単な説明】
【０００６】
【図１】図１は水平クランプの全体図である。
【産業上の利用可能性】
【０００７】
水平にパイプを繋げることにより、場所をとらない棚などが作れるようになり、また、建設現場や足場などのクランプを使用する事業に大いに役立つ。
【符号の説明】
【０００８】
１  接続部品
２  クランプ
【図１】
0003196722.tif 000003
【手続補正書】
【提出日】平成27年1月28日(2015.1.28)
【手続補正１】
【補正対象書類名】実用新案登録請求の範囲
【補正対象項目名】全文
【補正方法】変更
【補正の内容】
【実用新案登録請求の範囲】
【請求項１】
それぞれのクランプを水平垂直につなぐ接続部品を備えた水平クランプ。
(57)【要約】      （修正有）【課題】漁網とワイヤを組み合わせた軽量で短時間で洗うことができる芋洗いネットを提供する。【解決手段】漁網を円柱形に編み、入り口になる上部に円形のワイヤを取り付けた芋洗いネットであり、容器に４０リットルの水を用意し芋をネットに入れ、ネットの上部をにぎり、片方の手で底部をつかみ水に浸けて手を交互に上下させて洗う。【選択図】図１
0003196721.tif 000002
【実用新案登録請求の範囲】
【請求項１】
漁網を円柱形に編み入り口になる、上部に円形のワイヤを取り付けた芋洗いネット
【考案の詳細な説明】
【技術分野】
【０００１】  本考案は、漁網とワイヤを設けた芋洗いに関するものである。
【背景技術】
【０００２】  芋を洗う場合は，タワシか桶に水をため木の棒でかきまわしていた。
手が冷たい上に時間がかかっていた。私の場合芋だけでなくラッカセイ・ラッキョ・人参など洗っています。
【考案の概要】
【考案が解決しようとする課題】
【０００３】  特に寒い時期になると手が冷たく難儀であり、時間もかかる。従って、漁網とワイヤを一体化することにより、手を水につけず短時間で洗うことができる。
【考案の効果】
【０００４】    上述の様に、本考案の芋洗いネットは芋類を洗えるのは勿論、重量が３００グラムと軽く持ち運びでき、里芋では２キロ〜５キロを３０秒で出荷可能まで洗うことができる
【図１】
0003196721.tif 000003
【手続補正書】
【提出日】平成27年1月27日(2015.1.27)
【手続補正３】
【補正対象書類名】明細書
【補正対象項目名】全文
【補正方法】変更
【補正の内容】
【考案の詳細な説明】
【技術分野】
【０００１】  本考案は、漁網とワイヤを設けた芋洗い関するものである。
【背景技術】
【０００２】  芋を洗う場合は，タワシか桶に水をため木の棒でかきまわしていた。
手が冷たい上に時間がかかっていた。私の場合芋だけでなくラッカセイ・ラッキョ・人参など洗っています。
【考案の概要】
【考案が解決しようとする課題】
【０００３】  特に寒い時期になると手が冷たく難儀であり、時間もかかる。従って、漁網とワイヤを一体化することにより、手を水につけず短時間で洗うことができる。
【考案の効果】
【０００４】  上述の様に、本考案の芋洗いネットは芋類を洗えるのは勿論、重量が３００グラムと軽く持ち運びでき、里芋では２キロ〜５キロを３０秒で出荷可能まで洗うことができる
【図面の簡単な説明】
【０００５】
【図１】  図１は、側面を表す。
(57)【要約】      （修正有）【課題】安価で効率よく勾配のある坂道又は階段等の勾配に合わせ足元を照らすことができるＬＥＤ足元照明灯を提供する。【解決手段】勾配のある坂道、階段等の足元を照らすのに、パイプ支柱１の側面にＬＥＤライト７を照らす穴を明け、勾配の角度に合わせてＬＥＤライト７を固定して、足元を照明するＬＥＤ照明灯である。更に消費電力を少なく足元照明するには、このＬＥＤ足元照明灯が最適である。【選択図】図２
0003196726.tif 000002
【実用新案登録請求の範囲】
【請求項１】
パイプの支柱を使用し、パイプ支柱の上部から少し下がったところに内部からＬＥＤライトの照明を照らす穴を明け透明板を付け、その上側に角度調整金具を設置し、そこにＬＥＤライトを付け、更に透明板に密着する為にＬＥＤライトにホルダーを付け固定して配線をする、パイプの支柱の頭部には笠を付け固定して点灯する、これが坂道や階段等の勾配に合わせて、足元を照明するＬＥＤ足元照明灯。
【請求項２】
前記角度調整金具は設定角度に合うように製作した金具にＬＥＤライトを固定して使用する、パイプの支柱の外部にＬＥＤライトの照明を照らす為に明けた穴の上面から横面に添て鍔を付けることを特徴とする請求項１に記載のＬＥＤ足元照明灯。
【考案の詳細な説明】
【技術分野】
【０００１】この考案は太陽光や風力を電力源として、発電した電力を蓄電して使用するので、電力源の太陽光や風力が利用可能な場所に設置して、使用する坂道や階段等を照明する場所に、ＬＥＤ足元照明灯を照明可能距離間隔毎に設置し配線すると簡単に足元を照明することが出来る。
【背景技術】
【０００２】従来は照明灯の上に太陽光や風力の電力源を設置して、その下部分だけしか照明することが出来なかったので足元はおろか、電力源毎をそのヶ所に設置しなければならなかったから無駄な経費が追されていた。また従来の足元灯はそこの周りだけしか照明できないのが現状で、長い坂道等で足元照明するには多数照明灯が必要であった。
【考案の概要】
【考案が解決しようとする課題】
【０００３】上記のような照明灯は、急勾配の道路、階段等で、頭上からの照明で足元を照らすのは難かしく、また従来の足元灯も急勾配の道路、階段等の足元照明には多数の照明灯が必要になるので、この考案は電力源の設置と急勾配の道路、階段等の足元照明灯から離れて設置出来、、急勾配の坂道や階段等の勾配に合う照明灯を照明可能距離間隔に設置して、足元照明の経費削減を提供することを目的とする。
【課題を解決するための手段】
【０００４】この考案は、パイプの中にＬＥＤランプと坂道や階段等の勾配に合わせてＬＥＤランプを固定する角度調整金具と、ＬＥＤランプの光りを照らす穴に透明板を付け、それに密着するホルダーを配置し、坂道や階段等の勾配に合うように足元を照明するすることが出来るＬＥＤ足元照明灯。【０００５】パイプの支柱の上部の笠はパイプの支柱に被せるように設置しボルトで固定する、パイプの支柱の中に取り付けるＬＥＤライトは、坂道や階段等の角度に合う受け金具に取付て使用する、約０°〜６０°の角度まで使用することが可能である。
ＬＥＤ足元照明灯が、照明可能距離に合わせて照明灯を設置すれば良い、設置高さは概ね７０センチメーター前後の位置が適度と思われるので基礎コンクリートまたは既存の設置物に取付けて使用する。【０００６】パイプの支柱の外側にＬＥＤライトの光りを照らす穴を明けた上面から横面に添って鍔を付けて雨等を直接透明板に当たらないようにする。
【考案の効果】
【０００７】以上説明したように、この考案によって、それぞれの勾配の違う道路や階段等の足元を照らすことができる、またこのＬＥＤライトの消費電力が小さいので、電源に太陽光や風力を使用して、電力のきてない観光道路や避難道路、坂道、階段等の足元照明に安価で提供することができる、極めて有効なＬＥＤ足元照明灯。
【図面の簡単な説明】
【図１】この考案の全体の正面図である。
【図２】これは側面からの透視図である。
【考案を実施するための形態】
【０００８】以下、この考案の実施の形態を添付図面に基ずいて説明する。
図１はこの考案の照明灯の形態示すパイプ支柱１の正面図です。頭部に笠部キャップパイプ２を被せて取付け、パイプ支柱１の側面に照明用窓１０を設け，透明板１０を取付け、外部に上面から横面に添うて水切り鍔１２を取付ける、下部は基礎コンクリート１３に埋め込んで固定する。また基礎コンクリート１３には配電管１４を取り付けて電線を通すようにする。基礎コンクリート１３で固定しないときは既存金具等に固定して使用する。
【０００９】図２に示されているのは、パイプ支柱１の側面の透明図で、パイプの支柱に頭部笠部キャップパイプ２が取り付けられて、それにパイプ支柱頭部固定ボルトナット６で固定し、ＬＥＤ角度調整金具止めボルト５で固定する。また角度調整金具止めボルト３に坂道や階段等の角度に合致するＬＥＤライト角度調整金物４を取付け、角度固定ＬＥＤホルダーパイプ９を組込んで、ＬＥＤライト７をＬＥＤ固定ボルト８で取付け、照明用窓に取り付けた透明板１０に密着させ、坂道の勾配に合致するように固定する。
【実施例】電力装置のない観光道路で勾配のある通路と階段の足元照明に、電源として太陽光ソーラーパネルを使用しコントローラーを介して自動点灯装置をつけ、その先にこの足元照明灯を６〜７，８メートルおきに設置し、夜間に点灯し約８時間で消灯するように、また消灯したライトを震度５弱の地震で点灯する装置をつけて、観光道路の安全を保つように設置しました。
大変便利な装置で、地震時の非難道路にも設置したら大変よいと思うので、ひろめてゆこうと考えています。
【符号の説明】  １  パイプ支柱
２  頭部笠部パイプ
３  角度調整金具止めボルト
４  ＬＥＤライト角度調整金具
５  ＬＥＤライト角度調整金具止めボルト
６  頭部笠部固定ボルトナット
７  ＬＥＤライト
８  ＬＥＤライト固定ボルト
９  角度固定ＬＥＤライトホルダーパイプ
１０  照明窓及び透明板
１１  透明板固定金具
１２  水切り鍔
１３  基礎コンクリート
１４  配電管
【図１】
0003196726.tif 000003
【図２】
0003196726.tif 000004
(57)【要約】      （修正有）【課題】ベースとパイプとの接続方法を簡単化してパイプを安定して固定できるベースクランプを提供する。【解決手段】クランプ２を地面に対し垂直につなぐ接続部品１を備え、接続部品１の地面との接地部分に調節ネジのネジ穴４及び固定穴３を設ける。クランプ２とベースになる接続部品１をあらゆる方法で繋ぎ、接続部品１の地面との接地面場所にネジ穴４と固定穴３を開けたことにより接続方法の簡単化と多少の凹凸のある場所でもネジで安定して固定できる。【選択図】図１
0003196724.tif 000002
【実用新案登録請求の範囲】
【請求項１】
クランプと接続部品を繋ぎ、地面との接地部分にネジ穴と固定穴を開
けたものである。
【考案の詳細な説明】
【技術分野】
【０００１】
本考案はパイプを垂直に立てるベースとなるものである
【背景技術】
【０００２】
バイプの穴に差し込む方法のベースは存在していたが、ベーズからパイプを途中で外すことができず、また組み立て方法が難しかった。
【考案の概要】
【考案が解決しようとする課題】
【０００３】
解決しようとする問題点は、接続方法の簡素化とパイプを安定して固定する点である。
【課題を解決するための手段】
【０００４】
本考案は、クランプと接続部品を垂直につなぎ、地面との接地部分には、ネジ穴と固定穴を開けたことを主要な特徴とする。
【考案の効果】
【０００５】
横からのパイプの取り外しが可能になり、狭い場所でも簡単に接続できる。また3本の調節ネジと固定穴がついているので、さらなる安全性向上と、多少の凹凸がある場所でも安定して設置できる利点がある。
【図面の簡単な説明】
【０００６】
【図１】図１はベースプレートの正面図である。
【図２】図2にはベースクランプの平面図である。
【産業上の利用可能性】
【０００７】
棚などの足や間仕切に使え、またパイプを使用する多くの製品や企業に大いに役立つ。
【符号の説明】
【０００８】
１  接続部品
2  クランプ
3  固定穴
４  ネジ穴
【図１】
0003196724.tif 000003
【図２】
0003196724.tif 000004
【手続補正書】
【提出日】平成27年1月28日(2015.1.28)
【手続補正１】
【補正対象書類名】実用新案登録請求の範囲
【補正対象項目名】全文
【補正方法】変更
【補正の内容】
【実用新案登録請求の範囲】
【請求項１】
クランプを地面に対し垂直につなぐ接続部品を備え、前記接続部品の地面との
接地部分に調節ネジのネジ穴及び固定穴を設けたベースクランプ。
(57)【要約】      （修正有）【課題】ひとつのクランプで同じ軸上でパイプをＬ型接続できることによりパイプとパイプの交わりが無くなり安全性の向上と設置場所の縮小を可能にする直角水平クランプを提供する。【解決手段】それぞれのクランプ２を水平、垂直、水平およびＬ型状につなぐ接続部品１を備える。接続部品１とクランプ２を繋ぎ、そのクランプ２が水平、垂直、水平とＬ型（Ｔ型も可）になるように、あらゆる方法でクランプ２を繋ぐことで、同じ軸上でパイプをＬ型接続が可能になる。【選択図】図１
0003196725.tif 000002
【実用新案登録請求の範囲】
【請求項１】
接続部品にクランプを水平、垂直、水平にL型上になるようにつないだものである。
【考案の詳細な説明】
【技術分野】
【０００１】
本考案はパイプとパイプを同じ軸上で直角・水平につなぐクランプである。
【背景技術】
【０００２】
今までのクランプではひとつのクランプで、同じ軸上に垂直・水平にパイプの接続ができず、また、パイプの接続の際、交わりが発生し、場所を多くとってあった。
【考案の概要】
【考案が解決しようとする課題】
【０００３】
解決しようとする問題点はひとつのクランプで水平垂直にパイプを同じ軸上で接続と凹凸の縮小化の点である。
【課題を解決するための手段】
【０００４】
本考案は、クランプが水平、垂直、水平とL形（T型も可）になるように、接続部品と接続することを最も主な主要な特徴とする。
【考案の効果】
【０００５】
ひとつのクランプで同じ軸上にパイプのL型接続できるようになり、またパイプの交わりがなくなり、安全性向上と、余分になった場所を活用できる利点がある。
【図面の簡単な説明】
【０００６】
【図１】図１は全体図である。
【産業上の利用可能性】
【０００７】
同じ軸上で、水平、垂直にL型接続ができるようになり、棚や柵などが作れるようになり、また、建設現場や足場などのクランプを使用する事業に大いに役立つ。
【符号の説明】
【０００８】
１  接続部品
２  クランプ
【図１】
0003196725.tif 000003
【手続補正書】
【提出日】平成27年1月28日(2015.1.28)
【手続補正１】
【補正対象書類名】実用新案登録請求の範囲
【補正対象項目名】全文
【補正方法】変更
【補正の内容】
【実用新案登録請求の範囲】
【請求項１】
それぞれのクランプを水平、垂直、水平およびL型状につなぐ接続部品を備えた
直角水平クランプ。
(57)【要約】      （修正有）【課題】操作性及びデザイン性に優れる壁面スイッチを提供する。【解決手段】プッシュ式のスイッチ機構部を有する壁面スイッチ１０であって、スイッチ機構部１５を取り付けた支持部材１２と、スイッチ機構部をＯＮ−ＯＦＦ切り換えするためのプッシュ部１５ａと、壁面に沿って配置され壁面から露出して見える全面が操作部となる操作プレート部１１とを有し、操作プレート部を正面側から押すとプッシュ部をＯＮ−ＯＦＦ操作するものである。【選択図】図２
0003196352.tif 000002
【実用新案登録請求の範囲】
【請求項１】
プッシュ式のスイッチ機構部を有する壁面スイッチであって、
スイッチ機構部を取り付けた支持部材と、
前記スイッチ機構部をＯＮ−ＯＦＦ切り換えするためのプッシュ部と、
壁面に沿って配置され壁面から露出して見える全面が操作部となる操作プレート部とを有し、前記操作プレート部を正面側から押すとプッシュ部をＯＮ−ＯＦＦ操作するものであることを特徴とする壁面スイッチ。
【請求項２】
前記操作プレート部は一端側を支点にして前後方向に回動可能になっていて、前記操作プレート部の回動部の裏面側に前記プッシュ部を配置してあることを特徴とする請求項１記載の壁面スイッチ。
【請求項３】
前記操作プレート部は外形が矩形形状であり、前記支持部材に複数の操作プレート及びスイッチ機構部を連設してあることを特徴とする請求項１又は２記載の壁面スイッチ。
【考案の詳細な説明】
【技術分野】
【０００１】
本考案は、照明用や換気装置用等のスイッチとして壁面等に取り付けられている壁面スイッチに関する。
【背景技術】
【０００２】
各種電気製品や電子機器には、ＯＮ−ＯＦＦ操作するためのスイッチが設けられている。
この内、室内照明のように室内に出入りする際にＯＮ−ＯＦＦするためのスイッチは、壁面に取り付けられている場合が多い。
従来の壁面スイッチは、壁面から露出した筐体に、正方形，長方形，丸形等に切り欠いた孔を設け、この孔の内側にプッシュ操作する操作ボタンを設けた構造になっており、操作性に劣るだけでなく、デザイン性に欠ける問題あった。
例えば、特許文献１に示すようにトイレ設備等の分野では、小さな矩形形状の操作ボタンを並設（連設）したものが見受けられるが、これらよりも比較的大きい壁面スイッチの分野では全面が操作部となるスイッチは、これまでに知られていない。
【先行技術文献】
【特許文献】
【０００３】
【特許文献１】特許第５５３２６２８号公報
【考案の開示】
【考案が解決しようとする課題】
【０００４】
本考案は、操作性及びデザイン性に優れる壁面スイッチの提供を目的とする。
【課題を解決するための手段】
【０００５】
本考案に係る壁面スイッチは、プッシュ式のスイッチ機構部を有する壁面スイッチであって、スイッチ機構部を取り付けた支持部材と、前記スイッチ機構部をＯＮ−ＯＦＦ切り換えするためのプッシュ部と、壁面に沿って配置され壁面から露出して見える全面が操作部となる操作プレート部とを有し、前記操作プレート部を正面側から押すとプッシュ部をＯＮ−ＯＦＦ操作するものであることを特徴とする。
【０００６】
本考案は、壁面に取り付けたスイッチを正面から見た場合に、スイッチの全面が操作プレート部として見えることを特徴とし、ＯＮ−ＯＦＦするスイッチ機構そのものに制限はない。
従って、操作プレート部全体が前後方向に押し込み操作される構造でもよく、操作プレート部は一端側を支点にして前後方向に回動可能になっていて、前記操作プレート部の回動部の裏面側に前記プッシュ部を配置してある構造でもよい。
【０００７】
また、複数のスイッチを設ける場合には、操作プレート部は外形が矩形形状であり、前記支持部材に複数の操作プレート及びスイッチ機構部を連設してあると、全体としてデザインが統一され、意匠性に優れる。
【考案の効果】
【０００８】
本考案において壁面に正面から現れるのは、概ね操作プレート部のみであり、室内に入った際に照明をＯＮ操作しやすく、一枚のプレート部だけが外部に露出しているので意匠性にも優れる。
【図面の簡単な説明】
【０００９】
【図１】本考案に係る壁面スイッチを操作プレート部側から見た外観図を示す。
【図２】本発明に係る壁面スイッチを示し、（ａ）は平面図、（ｂ）は正面図、（ｃ）は側面図を示す。
【図３】複数のスイッチを連設した例を示す。
【図４】複数のスイッチの連設パターン例を（ａ）〜（ｅ）に示す。
【考案を実施するための最良の形態】
【００１０】
本考案に係る壁面スイッチ１０の構造例を以下図面に基づいて説明する。
図１に外観図、図２に構造を示す。
壁面スイッチ１０は、突出方向に弾性付勢されたプッシュ部１５ａを備えたスイッチ機構部１５を枠体からなる支持部材１２に取り付けてある。
本実施例では、プッシュ部１５ａを押すとラッチ機構等により、回路のＯＮ状態とＯＦＦ状態が交互に切り換わり、プッシュ部１５ａは突出方向に復帰する例になっているが、突没タイプのスイッチ機構でもよい。
【００１１】
操作プレート部１１は、押し込み操作するとスイッチ機構部１５のプッシュ部１５ａの押し込み動作に連動している。
操作プレート１１全体が前後方向に平行移動してもよいが、その場合に移動をガイドするガイド部が必要となるため、本実施例では操作プレート部１１の一端側に設けた支点部１３ａを回動中心に他端側が前後方向に回動するようになっている。
支点部１３ａは、ヒンジ方式，軸方式等構造に制限はない。
例えば、支持部材１２及び操作プレート部１１を樹脂で製作し、操作プレート１１の端部を支持部材１２に溶着等によりヒンジ状に連結してもよい。
操作プレート部１１は、正面のパネル部の周囲に幅の小さい側壁１１ａ〜１１ｄを設けた箱形になっていて、図１に示すように外部からは斜めに見ても操作プレート部１１のみが見えるようになっている。
正面から概ね操作プレート部１１のみが見えるようになっていれば、形状そのものに制限はない。
また、本実施例は市販されている壁面スイッチの筐体枠を取り外し、スイッチハンドル部１３に操作プレート部１１の裏面側を貼り付け、支持部材１２に操作プレート部１１の一端を支点部１３ａとして連結した例になっている。
このようにすると、市販の壁面スイッチを用いて簡単に製作することもできる。
【００１２】
図３，４には、操作プレート部の外形を略矩形形状にし、複数のスイッチを連設した各種パターン（１１Ａ〜１１Ｄ）の例を示す。
各スイッチ機構は、図２と同様であり、詳細な説明は省略する。
【符号の説明】
【００１３】
１０      壁面スイッチ
１１      操作プレート部
１２      支持部材
１３      スイッチハンドル部
１３ａ    支持部
１５      スイッチ機構部
１５ａ    プッシュ部
【図１】
0003196352.tif 000003
【図２】
0003196352.tif 000004
【図３】
0003196352.tif 000005
【図４】
0003196352.tif 000006
(57)【要約】      （修正有）【課題】薄地のプラスチックシートを用いて容易に組み立てられ、かつ十分な強度を持つ物品組み立て用プラスチックシートである組立式乗り物型ペンスタンドを提供する。【解決手段】薄地のプラスチックシートを加工し、複数箇所の対になる差し込みａ１、ａ２、ａ４〜ａ７と切り込みを作製し、接着道具なしで乗り物型の物品を組み立てられる。【選択図】図２
0003196322.tif 000002
【実用新案登録請求の範囲】
【請求項１】
薄地のＡ４サイズのプラスチックシートであって、トムソン型を使用して打ち抜いた複数の部品が差し込み部と、この差し込み部に差し込み組み合わせる切込み部を備えることで、それらの部品をシートから外して組み合わせたときに、糊やテープ等の接着道具を用いること無く簡単に物品を作製できる事を特徴とする組立式乗り物型ペンスタンド。
【請求項２】
請求項１に記載の組立式乗り物型ペンスタンドはトムソン型を使用して打ち抜かれた複数物品中に、ペンスタンド内部を仕切るための差し込み部を持ったパーティションを備え、その差し込み部を切込み部に差し込み組み合わせた時に、文房具の分別収納を可能にすることを特徴とする組立式乗り物型ペンスタンド。
【請求項３】
請求項１に記載の組立式乗り物型ペンスタンドはトムソン型を使用して打ち抜かれた複数物品中に、ペンスタンドを自立支持する脚部の構造が自動車のタイヤを模した半円形で配置されていることを特徴とする組立式乗り物型ペンスタンド。
【請求項４】
請求項１に記載の組立式乗り物型ペンスタンドはトムソン型を使用して打ち抜かれた複数物品中に、スマートフォンを固定することができるスリット部を持つことを特徴とする組立式乗り物型ペンスタンド。
【考案の詳細な説明】
【考案の詳細な説明】
【技術分野】
【０００１】  本考案は主として、フイルムシート材料に対して施された、多目的に使用できる利便性の高いノベルティー商品に関するものである。
【背景技術】
【０００２】  従来の紙やプラスチックシートで作製していた組立式ペンスタンドは、組み立てるときに固定用の糊やテープ、シートからパーツを分離する為のはさみやカッター等の道具が必要だった。また形状も単純で質素なものが多かった。
【考案が解決しようとする課題】
【０００３】  Ａ４サイズのプラスチックシートに物品を構成することで強度が大きく、収納の利便性が高くなり、輸送コストを抑えることができる。更に、オフセット印刷やインクジェットプリンターを用いてバス、電車、トラック等の絵柄を印刷することでノベルティーグッズとしての価値を高めることができる。
【課題を解決するための手段】
【０００４】    トムソンで打ち抜いた各部分の接合部分の構造を組み立てやすく、かつ外れにくくするために、フック部に切り込みを入れる、かつフィルムシートの柔軟な収縮性を利用し、接合部を噛み合わせる事で強固な構造を作り出す事ができる。
また、組み立てた時に本物品を自立支持する脚部は、自動車のタイヤを模した半円形であり、当該部分にタイヤの図案を施すことで本物品を乗り物に見立てたペンスタンドとして使用することができる。
【考案を実施するための形態】
【０００５】  図１は本考案の組立式乗り物型ペンスタンド（１）の平面図である。組立式乗り物型ペンスタンド（１）はフィルムシートよりなり、トムソン加工によって打ち抜かれた複数の物品が備えられている。
組立式乗り物型ペンスタンド（１）には、フック構造を持った差し込み（ａ１）（ａ２）（ａ３）（ａ４）（ａ５）（ａ６）（ａ７）と、これと対になる切込み（ｂ１）（ｂ２）（ｂ３）（ｂ４）（ｂ５）（ｂ６）（ｂ７）、をもった複数の物品、また、
スマートフォンを固定するためのスリット部（Ｓ１）（Ｓ２）、タイヤの形状を模した脚部（Ｔ１）（Ｔ２）（Ｔ３）（Ｔ４）を備えたペンスタンド部（２）が大部分をトムソンで打ち抜かれ部分的にシートに固定された状態で備わっている。
【０００６】  図２は本考案の組立式乗り物型ペンスタンド（１）における、ペンスタンド部（２）の斜視図である。トムソン型で折筋加工、打ち抜き加工されたペンスタンド部（２）を組み立て、ペンスタンド部（２）の両端に対になるように設けられた複数の切込み（ｂ１）（ｂ２）（ｂ３）（ｂ４）（ｂ５）（ｂ６）（ｂ７）に差し込み（ａ１）（ａ２）（ａ３）（ａ４）（ａ５）（ａ６）（ａ７）をそれぞれ組み合わせる事で、糊やテープ等の接着道具がなくても強度を保つ事ができる。そして、文房具などの物品の分別収納を可能にするためのパーティション（Ｐ）は差し込み（ａ６）（ａ７）が切込み（ｂ６）（ｂ７）と組み合わされることで固定され、ペンスタンド部（２）の内部は２つのスペースに仕切られる。
【０００７】  図３は本考案の組立式乗り物型ペンスタンド（１）のスリット部（Ｓ１）（Ｓ２）を用いて一般的なスマートフォン（Ｃ）を固定した場合の斜視図である。この時本考案の組立式乗り物型ペンスタンド（１）におけるペンスタンド部（２）はタイヤの形状を模した自立固定用の脚部（Ｔ１）（Ｔ２）（Ｔ３）（Ｔ４）によって固定、維持されスマートフォン（Ｃ）の安定した操作、視聴を補助している状態である。
【図面の簡単な説明】
【０００８】
【図１】本考案の組立式乗り物型ペンスタンドの平面図
【図２】図１の組立式乗り物型ペンスタンドを組み立てた場合の斜視図
【図３】図２の組立式乗り物型ペンスタンドにスマートフォンを乗せた場合の斜視図
【０００９】１    組立式乗り物型ペンスタンドシート
２    ペンスタンド部
ａ１  差し込み１
ａ２  差し込み２
ａ３  差し込み３
ａ４  差し込み４
ａ５  差し込み５
ａ６  差し込み６
ａ７  差し込み７
ｂ１  切り込み１
ｂ２  切り込み２
ｂ３  切り込み３
ｂ４  切り込み４
ｂ５  切り込み５
ｂ６  切り込み６
ｂ７  切り込み７
Ｃ    スマートフォン
Ｐ    パーテイション
Ｓ１    スリット部１
Ｓ２    スリット部２
Ｔ１    脚部１
Ｔ１    脚部２
Ｔ１    脚部３
Ｔ１    脚部４
【図１】
0003196322.tif 000003
【図２】
0003196322.tif 000004
【図３】
0003196322.tif 000005
(57)【要約】      （修正有）【課題】踵の角質化した部分を簡単に除去できる踵老化皮膚除去マットを提供する。【解決手段】長方形マット型本体１の４辺に縁枠２を有し、長方形マット型本体１の表面には、細かい凹凸状の研磨部３を有し、かつ、長方型マット型本体の裏面には辷り止め４を有することを特徴とし、また、研磨部３の一部にデザイン部を設け、デザイン部は研磨部３に比し荒砥で達成したことを特徴とする。【選択図】図１
0003196310.tif 000002
【実用新案登録請求の範囲】
【請求項１】
長方形マット型本体（１）の４辺に縁枠（２）を有し、当該長方形マット型本体（１）の表面には、細かい凹凸状の研磨部（３）を有し、かつ、当該長方型マット型本体の裏面には辷り止め（４）を有することを特徴とする踵老化皮膚除去マット。
【請求項２】
請求項１において、研磨部（３）の一部にデザイン部（５）を設け、当該デザイン部は当該研磨部（３）に比し荒砥で達成したことを特徴とする踵老化皮膚除去マット。
【考案の詳細な説明】
【０００１】本考案は足裏踵部角化した皮膚を除去する装置に関するものである。
【背景技術】
【０００２】角質化による不快感を除去するため軽石等により角質を除去する方法はあるが、体型により苦労に感ずるもので、この問題を解決しようとするものである。
【考案の概要】
【考案が解決しようとする課題】
【０００３】気になる踵のガサガサ部分を除去するのに軽石等にてこすっていたが、肥満者、老人及び病人（特に腰痛膝痛）は足先まで手が届かなくて出来ない場合に於て簡便に行う方法はなかった。
【課題を解決するための手段】
【０００４】請求項１にかかわる考案は長方形マット本体（１）の表面は縁枠（２）を残し細かい凹凸研磨部（３）を有し、これにより座居立居でも踵部をこすり合せることにより、角化した皮膚を除去し得るもので長方形マット本体（１）の表面は強化プラスチック、辷り止め（４）は強化ゴム素材にて構成されたことを特徴とする踵老化皮膚除去マット。【０００５】請求項１に於て研磨部（３）のデザイン部（５）の部分を荒砥部として研磨力の強弱をとりそろえた事を特徴とした踵老化皮膚除去マット。
【図面の簡単な説明】
【０００６】
【図１】踵老化皮膚除去マットの平面図及び側面図
【図２】研磨部（３）にデザイン（５）を付した実施例
【考案を実施するための形態】
【０００７】踵老化皮膚除去マットは長方形マット本体（１）の表面の凹凸研磨部（３）を有するマット状で当該表面を強化プラスチックで作成し又は研磨材を表面に付着させる。裏面に辷り止め（４）を強化ゴム、又は強化ビニール樹脂にて作成する。
【０００８】次に使用方法を説明する。浴室の床面に踵老化皮膚除去マットを置き、その上を足でふみつける様に足裏特に踵部を先ずデザイン部（５）の荒砥部分を使用し次に研磨部（３）の部分にて仕上げる、これにより角化した皮膚を除去し得るものである、從来の軽石等による角質除去に比べ不自然な姿勢をとらずに狹い場所でも踵の角質化した皮膚を除去することが出来る。
【実施例】
【０００９】マット研磨部（３）の表面に、花、動物等イラストデザイン部（５）を施し浴室をいろどる形状にした実施例。
【産業上の利用可能性】
【００１０】本考案は肥満者、老人、身体不自由者は足先まで手が届かないため大変困難を呈して居るので、多数利用者存在可能である。
【符号の説明】
【００１１】１  長方形型マット本体
２  縁枠
３  研磨部
４  辷り止め
５  デザイン部
【図１】
0003196310.tif 000003
【図２】
0003196310.tif 000004
(57)【要約】      （修正有）【課題】撮影スタジオなど室内で靴を履く環境において発生する、靴裏のゴムやヒールによる汚れや傷を防ぐため、靴裏をカバーする靴裏フェルトを提供する。【解決手段】靴のつま先の床に触れる部分の形に対応した形状であるつま先用本体１と靴のかかとの床に触れる部分の形に対応した形状であるかかと用本体５とを備えた靴裏フェルトであって、つま先用本体１とかかと用本体５とを布素材から形成し、つま先用本体１とかかと用本体５の裏面に粘着層を備え、粘着層によりつま先用本体１を靴のつま先の床に触れる部分に貼り付け、かかと用本体５を靴のかかとの床に触れる部分に貼り付けることを特徴とする。【選択図】図１
0003196303.tif 000002
【実用新案登録請求の範囲】
【請求項１】
つま先、かかとの2つに分かれている布素材の形状。
【請求項２】
靴裏に貼る際に補助になるよう、粘着剥離紙に補助線を印刷。
【請求項３】
つま先、かかとを覆う様に貼り付ける際、フチが貼りやすいよう、切れ込みを入れる。
【請求項４】
靴裏に貼るため、フェルトなどの布素材に予め粘着剤がついている。
【考案の詳細な説明】
【技術分野】
【０００１】
この発明は、室内における靴のつま先やかかと、ヒールによる傷、汚れ、ヒールマークを防ぐためのシールである。
【背景技術】
【０００２】
従来、室内の撮影スタジオにてモデルが野外と同じ靴を使用する頻度は高かったが、靴裏のゴムやヒールによる傷や汚れなどから床を保護するためのものはなかった。
【考案の概要】
【考案が解決しようとする課題】
【０００３】
撮影スタジオなど室内で野外と同じ靴を履く環境において、床は住居と同じ素材が多いため、歩くだけで靴裏のゴムやヒールにより傷や汚れがたくさん付いてしまう。
本発明は、使用する靴の裏やつま先、かかとを保護することで、この課題を解消したいと考える。
【課題を解決するための手段】
【０００４】
靴裏だけでなく、かかとの擦り傷やつま先が床に当たることを考慮し、靴のフチを覆う部分に切れ目を入れる。通常はつま先用本体1とかかと用本体5で対応。先の尖ったつま先に対応する3と細いハイヒールに対応する8を用意。床に触れる部分にフェルトなどの布素材を使用し、反対面に粘着をつけることで靴裏に簡単に装着できるようにした。また、カバーする部分を限定することで、歩く際にフェルトなどの布素材だけでは滑りやすくなってしまう点を解消した。
【考案の効果】
【０００５】
つま先とかかとを分けることで、多様なサイズの靴にも対応可能になる。また、フェルトなどの布素材なので簡単にカットすることで、様々な形の靴裏に貼ることができる。使用後、靴に粘着が残らないよう、適度な粘着を使用した。
【図面の簡単な説明】
【０００６】
【図１】本発明の装着時の立体図である。
【図２】本発明の正面図である。
【考案を実施するための形態】
【０００７】
以下、本発明の実施の形態について説明する。
（イ）．つま先用1、かかと用5、ハイヒール用8の形にフェルトなどの布素材を裁断。
（ロ）．裏面に粘着を装着。
（ハ）．靴裏に貼る際に補助になるよう、粘着剥離紙に補助線を印刷。
（ニ）．靴裏のフチが貼りやすいよう、切れ込みを入れる。
【実施例】
【０００８】
つま先とりつけ線2をガイドにして、つま先用本体１を靴裏のつま先に貼る。切れ込み4を活かして、つま先を覆う様に貼り付ける。
かかととりつけ線6をガイドにして、かかと用本体5を靴裏の踵に貼る。切れ込み7を活かして踵を覆うように貼り付ける。
ハイヒールとりつけ線9をガイドにして、ハイヒール用本体8を靴裏の踵に貼る。切れ込み10を活かして踵を覆うように貼り付ける。
【符号の説明】
【０００９】
1  つま先用本体
2  つま先とりつけ線
3  ハイヒール用つま先線
4  つま先切れ込み
5  かかと用本体
6  かかととりつけ線
7  かかと切れ込み
8  ハイヒール用かかと本体
9  ハイヒールとりつけ線
10  ハイヒール切れ込み
【図１】
0003196303.tif 000003
【図２】
0003196303.tif 000004
【手続補正書】
【提出日】平成26年12月22日(2014.12.22)
【手続補正１】
【補正対象書類名】実用新案登録請求の範囲
【補正対象項目名】全文
【補正方法】変更
【補正の内容】
【実用新案登録請求の範囲】
【請求項１】
靴のつま先の床に触れる部分の形に対応した形状であるつま先用本体（１）と靴のかかとの床に触れる部分の形に対応した形状であるかかと用本体（５）とを備えた靴裏フェルトであって、前記つま先用本体（１）と前記かかと用本体（５）とを布素材から形成し、前記つま先用本体（１）と前記かかと用本体（５）の裏面に粘着層を備え、該粘着層により前記つま先用本体（１）を靴のつま先の床に触れる部分に貼り付け、前記かかと用本体（５）を靴のかかとの床に触れる部分に貼り付けることを特徴とする靴裏フェルト。
【請求項２】
前記つま先用本体（１）と前記かかと用本体（５）は、粘着剥離紙を備え、前記粘着剥離紙は靴裏に貼る際の補助になるように補助線が印刷されていることを特徴とする請求項１に記載の靴裏フェルト。
【請求項３】
前記つま先用本体（１）と前記かかと用本体（５）は、縁部を切り込んで形成した切れ込み部（４，７）を設けたことを特徴とする請求項１〜２に記載の靴裏フェルト。
(57)【要約】      （修正有）【課題】建物の室内にガーデニング霊園を提供する。【解決手段】地面上に設けたビルなどの建物３の最上階４の室内に、墓７の周囲を緑化手段８で飾ったガーデニング霊園２を設けると共に、該最上階４の天井５の面積の５０％以上、好ましくは全面を透明部材により形成した。墓地不足の都市部などにおいても、ガーデニング霊園を設けることができ、また、少なくとも、前記天井５の５０％以上、好ましくは、全面が透明部材により形成されているので、前記最上階４内は温室効果により、常に温度が高く、従って、１年を通して、花を咲かせ、草を生やすことができるようになる。【選択図】図１
0003196331.tif 000002
【実用新案登録請求の範囲】
【請求項１】
地面上に設けた小屋の室内に、墓の周囲を緑化手段で飾ったガーデニング霊園を設けると共に、
該小屋の天井の面積の５０％以上を透明部材により形成した室内ガーデニング霊園設備。
【請求項２】
建物の最上階の室内に、墓の周囲を緑化手段で飾ったガーデニング霊園を設けると共に、
該最上階の天井の面積の５０％以上を透明部材により形成した室内ガーデニング霊園設備。
【請求項３】
建物の屋上に設けた小屋の室内に、墓の周囲を緑化手段で飾ったガーデニング霊園を設けると共に、
該小屋の天井の面積の５０％以上を透明部材により形成した室内ガーデニング霊園設備。
【請求項４】
前記天井の全面を透明部材により形成した請求項１又は請求項２又は請求項３に記載の室内ガーデニング霊園設備。
【請求項５】
前記小屋の壁部の全面を透明部材により形成した請求項１又は請求項３又は請求項４に記載の室内ガーデニング霊園設備。
【請求項６】
最上階の壁部の全面を透明部材により形成した請求項２又は請求項４に記載の室内ガーデニング霊園設備。
【請求項７】
前記小屋はビニールハウスである請求項１又は請求項３又は請求項４又は請求項５に記載の室内ガーデニング霊園設備。
【考案の詳細な説明】
【技術分野】
【０００１】
本考案は室内ガーデニング霊園設備、特に、地面上（地面に設けた構造物上も含む）に設けた小屋、ビルなど建物の最上階、又は建物の屋上に設けた小屋などの室内に、複数の墓の周囲を草花で飾った緑あふれる霊園を設けた室内ガーデニング霊園設備に関するものである。
【背景技術】
【０００２】
都市部における墓地の土地不足に伴い、建物内に複数のお墓を設けるような場合があり、このような墓地として、例えば、特許文献１がある。
【先行技術文献】
【特許文献】
【０００３】
【特許文献１】特開２００１−３２５７２号公報
【考案の概要】
【考案が解決しようとする課題】
【０００４】
このような室内に墓を設けた墓地は、窓からの採光も乏しいので、複数の墓の周囲を草花で飾った緑あふれるガーデニング霊園を室内設けることは難しい。
【０００５】
なお、このガーデニング霊園は、花などが咲く環境において、公園にいるような気持で、くつろいで個人を供養できるので、近年、多くの人に好まれる供養施設である。
【０００６】
本考案は、建物内においてもガーデニング霊園を提供することを目的とする。
【課題を解決するための手段】
【０００７】
本考案は前記の目的を達成すべく、地面上に設けた小屋、建物の最上階又は建物の屋上に設けた小屋の室内に、墓の周囲を緑化手段で飾ったガーデニング霊園を設けると共に、該最上階又は小屋の天井の面積の５０％以上、好ましくは全面を透明部材により形成した。
【考案の効果】
【０００８】
本考案の室内ガーデニング霊園設備によれば、例えば、都市部などの土地不足の地域であっても、墓の周囲を草花で飾った緑あふれるガーデニング霊園を１年中、天候によらず提供することができる。
【図面の簡単な説明】
【０００９】
【図１】本考案の実施例１の室内ガーデニング霊園設備の説明図である。
【図２】本考案の他の例の室内ガーデニング霊園設備の説明図である。
【考案を実施するための形態】
【００１０】
以下、図面によって本考案の実施例を説明する。
【実施例１】
【００１１】
本考案の室内ガーデニング霊園設備の実施例１を図１によって説明する。
【００１２】
１は、本考案の室内ガーデニング霊園設備を示し、２は、ビルなどの建物３の最上階４の室内に設けた、墓の周囲を草花で飾ったガーデニング霊園、５は、前記最上階４の天井であり、該天井５は、その面積の５０％以上、好ましくは全面がガラス板や合成樹脂板や強化ビニール樹脂などの透明部材により形成されている。なお、前記最上階４の壁部６の全面も、前記天井５と同様に、透明部材により形成するようにしてもよい。なお、この全面とは、天井５や壁部６を支えるためのフレーム部分を除く部分をいう（以下同じ）。
【００１３】
なお、７は、墓、８は、該墓７の周囲に設けた草木やその花などの緑化手段、９は、通路である。
【００１４】
次に本考案の室内ガーデニング霊園設備の使用方法及びその効果について説明する。
【００１５】
本考案の室内ガーデニング霊園設備は、墓地不足の都市部などにおいても、ガーデニング霊園を設けることができる。また、少なくとも、前記天井５の５０％以上、好ましくは、全面が透明部材により形成されているので、前記最上階４内は温室効果により、常に温度が高く、従って、１年を通して、花を咲かせ、草をはやすことができるようになる。
【００１６】
また、故人を供養する人たちは、１年中、季節を問わず、花と緑あふれるガーデニング霊園内で、天候を気にすることもなく、公園にいるようなくつろいだ気持で、故人を供養できるようになる。
【００１７】
図２は、室内ガーデニング霊園設備の他の例を示し、この他の例においては、前記建物３の最上階４の室内にガーデニング霊園を設ける代わりに、前記建物３の屋上１０に小屋１１を設け、該小屋１１の室内にガーデニング霊園２を設けると共に、前記小屋１１の天井の面積の５０％以上、好ましくは天井の全面をガラス板や合成樹脂板や強化ビニール樹脂などの透明部材により形成するようにしてもよい。
【００１８】
なお、図２における前記小屋１１は、壁部がないタイプのものであるが、壁部を有するような小屋においては、その壁部の全面を、同様に透明部材により形成するようにしてもよい。
【００１９】
なお、前記小屋１１には、例えば、強化ビニール等を用いたビニールハウスなどがある。
【００２０】
なお、建物の屋上に小屋１１を設ける代わりに、地面上（地面に設けた構造物上も含む）に前記小屋１１を設けてもよい。
【産業上の利用可能性】
【００２１】
本考案の室内ガーデニング墓地は、あらゆる場所、例えば、地面上、建物の最上階又は屋上に適用することができる。
【符号の説明】
【００２２】
１      室内ガーデニング霊園設備
２      ガーデニング霊園
３      建物
４      最上階
５      天井
６      壁部
７      墓
８      緑化手段
９      通路
１０    屋上
１１    小屋
【図１】
0003196331.tif 000003
【図２】
0003196331.tif 000004
(57)【要約】      （修正有）【課題】軽い力で開閉し、且つ閉め忘れを防ぐ、警告音付き電動で開閉する自動車の燃料補給口キャップを提供する。【解決手段】自動車の燃料補給口２と燃料補給口キャップ１とを一体化させ、燃料補給口キャップ１にはそばにある給油キャップ電動開閉ボタン３で起動する電動開閉機能を持たせる。それとともに、自動車の燃料補給スペースに燃料補給ノズルの存在認識センサー４をつけ、ノズルの存在が消えると、キャップを閉めることを促す警告音がスピーカー５から発せられる。【選択図】図１
0003196320.tif 000002
【実用新案登録請求の範囲】
【請求項１】
自動車の燃料補給口と燃料補給口キャップとを一体化させ、燃料補給口キャップはそばに創設したボタンで起動する電動開閉機能を持たせ、自動車の燃料補給スペ−スに燃料補給ノズルの存在認識センサ−をつけ、燃料補給ノズルの存在が消えると燃料補給口キャップを閉めることを促すための警告音を出す機能を持たせることを特徴とする警告音付き電動で開閉する自動車の燃料補給口キャップ。
【考案の詳細な説明】
【技術分野】
【０００１】  本考案は、電動で開閉するとともに警告音も発する自動車の燃料補給口キャップに関することである。
【背景技術】
【０００２】  近年、セルフの給油所が増え、そこでは、力の弱い人でも給油キャップの開閉を自分で行い、閉め忘れに繋がる警告音も自動車から発せられなかった。
【考案の概要】
【考案が解決しようとする課題】
【０００３】  自動車の燃料補給時、力を入れずとも燃料補給口キャップの開閉が行なえるとともに、閉め忘れ防止策も提供する。
【課題を解決するための手段】
【０００４】  本考案は、自動車の燃料補給口と燃料補給口キャップを一体化させ、燃料補給口のキャップに、ボタンを押すことで電動で開閉する機能を持たせる。それとともに、燃料補給が終わった時点で、キャップの閉め忘れを防止する警告音が発せられる。
【考案の効果】
【０００５】  これからますます増えると考えられるセルフの給油所において、力の弱い高齢者でも、簡単に燃料補給口のキャップの開け閉めができ、現在セルフの給油所で多発しているキャップの閉めわすれ事案を減らすことができる。
【図面の簡単な説明】
【０００６】
【図１】燃料補給口と燃料補給口キャップを一体化させ、燃料補給口キャップはそばのボタンを押すことで、電動で開閉する機能を持ち、給油スペ−スには燃料補給ノズルの存在認識センサ−があり、存在がないときキャップを閉めることを促す警告音を発するスピ−カ−も有する図。
【考案を実施するための形態】
【０００７】  自動車の燃料補給口と燃料補給口キャップとを一体化させ、燃料補給口キャップにボタンで起動する電動開閉機能を持たせる。それとともに、自動車の燃料補給口に存在認識センサ−をつけ、ノズルの存在が消えると、キャップを閉めるための警告音を出す機能を持たせる。
【実施例】
【０００８】  以下添付図に従って、一実施例を説明する。１は、自動車の給油口と給油キャップを一体化したもののうちのボタンで電動開閉する給油キャップであり、２は、給油口である。３は、給油キャップの電動開閉を行なうボタンである。給油者はまず、３のボタンを押し１の給油キャップを開け給油ノズルで給油する。【０００９】  ４は、給油ノズルが存在するかどうかを認識する存在認識センサ−であり、存在が消えた後、給油キャップの閉め忘れを防ぐ警告音を発する５のスピ−カ−を有する。【００１０】  給油者は、給油がおわると、警告音を聞き、３の給油キャップ電動開閉ボタンを押し、１の給油キャップを閉める。
【符号の説明】
【００１１】１  給油キャップ
２  給油口
３  給油キャップの電動開閉ボタン
４  給油ノズルの存在認識センサ−
５  警告音を発するスピ−カ−
【図１】
0003196320.tif 000003